(57)【要約】  手乾燥装置は、送風装置と、送風装置を収納し、送風装置で生成された空気流を噴出する左右方向に延びるスロット状のノズル孔（７ａ）が形成された下方を向く下面（２１ａ）を有するケーシング（１）と、ノズル孔（７ａ）の開口縁のうち奥側の開口縁（７ｅ）に設けられて、下面（２１ａ）よりも下方に突出する誘導突起（１５）と、を備える。
2018220715.tif 000002
【特許請求の範囲】
【請求項１】
送風装置と、
前記送風装置を収納し、前記送風装置で生成された空気流を噴出する左右方向に延びるスロット状のノズル孔が形成された下方を向く下面を有するケーシングと、
前記ノズル孔の開口縁のうち奥側の開口縁に設けられて、前記下面よりも下方に突出する誘導突起と、を備えることを特徴とする手乾燥装置。
【請求項２】
前記誘導突起の手前側の壁面には、下端に進むほど奥側に位置する傾斜面が形成されていることを特徴とする請求項１に記載の手乾燥装置。
【請求項３】
前記傾斜面は、手前側に凸となる曲面形状であることを特徴とする請求項２に記載の手乾燥装置。
【請求項４】
前記傾斜面は、円弧面形状であることを特徴とする請求項３に記載の手乾燥装置。
【請求項５】
前記円弧面形状の相当曲率半径は、前記ノズル孔における奥行き方向の幅の５倍以上であることを特徴とする請求項４に記載の手乾燥装置。
【請求項６】
前記傾斜面の下端の接線方向と鉛直方向とのなす角が、５°から３０°であることを特徴とする請求項２から５のいずれか１つに記載の手乾燥装置。
【請求項７】
前記誘導突起の手前側の壁面には、上下に並ぶ凹凸が形成されていることを特徴とする請求項１から６のいずれか１つに記載の手乾燥装置。
【請求項８】
前記ノズル孔の開口縁のうち手前側の開口縁と前記ケーシングの前面との奥行き方向に沿った距離が１０ｍｍ以下であることを特徴とする請求項１から７のいずれか１つに記載の手乾燥装置。
【請求項９】
前記ノズル孔の開口縁のうち手前側の開口縁よりも手前側で前記手前側の開口縁と間隔を空けた位置に設けられて前記下面よりも下方に突出する遮蔽板をさらに備えることを特徴とする請求項１から８のいずれか１つに記載の手乾燥装置。
【発明の詳細な説明】
【技術分野】
【０００１】
本発明は、洗浄後の濡れた手に高速空気流を吹き付けて乾燥させる手乾燥装置に関する。
【背景技術】
【０００２】
洗浄後の濡れた手を、タオルまたはハンカチで払拭せずに、ノズル孔から噴出された空気流を手に吹き付けて水分を吹き飛ばして乾燥させる手乾燥装置が利用されている。このような手乾燥装置には、ケーシングの下方を向く下面にノズルが形成され、ケーシングの手前から下面の下方に差し出された手に向けて空気流を吹き付ける方式のものがある。【０００３】
特許文献１には、手から吹き飛ばされた水滴が使用者に向けて飛散することを抑制するために、ノズルを奥側に向けて傾けた手乾燥装置が開示されている。ノズルを奥側に向けて傾けることで、ノズルから噴出された空気流の向きを奥側に傾けて、手から水が吹き飛ばされる方向が奥側方向に向きやすく、使用者に向けて飛散しにくくなる。
【先行技術文献】
【特許文献】
【０００４】
【特許文献１】特許第３７７０２５５号公報
【発明の概要】
【発明が解決しようとする課題】
【０００５】
しかしながら、ノズルの入口から出口までにはある程度の長さが必要である。ノズルの出口は、ケーシングの下面に位置するため、ノズルのほとんどの部分はケーシングの内部に設けられる。ここで、特許文献１に開示された手乾燥装置のようにノズルを傾けると、ケーシングの内部では出口から入口に向けて手前側に傾く姿勢でノズルが設けられることになる。傾いたノズルを収容するためのスペースがケーシングの内部に必要になることで、ケーシングの前面からノズルの出口までの奥行き方向に沿った長さが、ノズルを傾けない場合よりもノズルを傾けた場合のほうが長くなってしまう。【０００６】
したがって、使用者はノズルから噴出された空気流を手に吹き付けるために、より深く手を差し込まなければならなくなる。手を深く差し込むことで、手乾燥装置の背面に手先が触れてしまい、手の衛生面が損なわれる場合がある。また、深く差し込まれた手が手乾燥装置の背面に触れないように、ノズルから手乾燥装置の背面までの距離を大きくすると装置が大型化して設置スペースの確保が困難になるという問題がある。【０００７】
本発明は、上記に鑑みてなされたものであって、下方に向けて空気流を噴出させるノズルの噴出方向を奥側に傾けつつ、ケーシングの前面からノズルまでの距離を近接させることができる手乾燥装置を得ることを目的とする。
【課題を解決するための手段】
【０００８】
上述した課題を解決し、目的を達成するために、本発明は、送風装置と、送風装置を収納し、送風装置で生成された空気流を噴出する左右方向に延びるスロット状のノズル孔が形成された下方を向く下面を有するケーシングと、ノズル孔の開口縁のうち奥側の開口縁に設けられて、下面よりも下方に突出する誘導突起と、を備えることを特徴とする。
【発明の効果】
【０００９】
本発明にかかる手乾燥装置は、下方に向けて空気流を噴出させるノズルの噴出方向を奥側に傾けつつ、ケーシングの前面からノズルまでの距離を近接させることができるという効果を奏する。
【図面の簡単な説明】
【００１０】
【図１】本発明の実施の形態１にかかる手乾燥装置の外観を示す斜視図
【図２】図１に示す手乾燥装置を側方から見た断面図
【図３】図２に示すノズル部分を拡大した部分拡大断面図
【図４】実施の形態１の変形例１にかかる手乾燥装置のノズル部分を示す図
【図５】実施の形態１の変形例２にかかる手乾燥装置のノズル部分を示す図
【図６】実施の形態１の変形例３にかかる手乾燥装置のノズル部分を示す図
【図７】実施の形態１の変形例４にかかる手乾燥装置のノズル部分を示す図
【図８】本発明の実施の形態２にかかる手乾燥装置の外観を示す斜視図
【図９】図８に示す手乾燥装置を側方から見た断面図
【発明を実施するための形態】
【００１１】
以下に、本発明の実施の形態にかかる手乾燥装置を図面に基づいて詳細に説明する。なお、この実施の形態によりこの発明が限定されるものではない。
【００１２】
実施の形態１．
図１は、本発明の実施の形態１にかかる手乾燥装置の外観を示す斜視図である。図２は、図１に示す手乾燥装置を側方から見た断面図である。
【００１３】
手乾燥装置５０は、外郭となるケーシング１を備える。ケーシング１は、前面を奥側に凹ませて形成された手乾燥室３を備える。手乾燥室３の前面側の開口部は、手乾燥室３に手を挿入する手挿入口２となる。なお、以下の説明において、ケーシング１のうち手乾燥室３の上方に位置する部分を上方ケーシング２１と称し、手乾燥室３の奥側に位置する部分を奥側ケーシング２２と称し、手乾燥室３の下方に位置する部分を下方ケーシング２３と称する。すなわち、手乾燥室３は、上方ケーシング２１と奥側ケーシング２２と下方ケーシング２３とに囲まれ、前面および左右の側面が開放されている。
【００１４】
下方ケーシング２３の天面には、手乾燥室３の下部で水を受ける水受け部４が形成されている。水受け部４は、奥側に向かう下り傾斜となっており、傾斜の下端に排水口５が設けられている。水受け部４の下方には、排水口５から滴下する水を貯留するドレン容器６が抜き差し自在に設けられている。
【００１５】
上方ケーシング２１には、下方を向く面である下面２１ａが設けられている。下面２１ａは、手乾燥室３に面している。上方ケーシング２１の下面２１ａには、手乾燥室３に向かって下方に空気流を吹き出すノズル７が設けられている。ノズル７は、出口であるノズル孔７ａが左右方向に細長く延びるスロット状になっている。ノズル７の全体が上方ケーシング２１の内部に収容されており、ノズル孔７ａだけが上方ケーシング２１の下面２１ａから露出している。
【００１６】
上方ケーシング２１の側面には吸気口１０が形成されている。上方ケーシング２１の内部には、整流子モータとターボファンとを有する送風装置である高圧気流発生装置９が収納されている。上方ケーシング２１の内部には、吸気口１０と高圧気流発生装置９の吸気側とを連通する吸気風路１１が形成されている。上方ケーシング２１の内部には、高圧気流発生装置９の排気側とノズル７とを連通する排気風路１２が形成されている。なお、上方ケーシング２１の背面はベース８で構成されている。高圧気流発生装置９が運転されると、吸気口１０から吸い込まれた空気が、吸気風路１１、高圧気流発生装置９、排気風路１２を経て、ノズル７のノズル孔７ａから空気流となって噴出される。
【００１７】
ノズル孔７ａから噴出された空気流が、手乾燥室３に挿入された手に吹き付けられることで、手に付着している水滴が吹き飛ばされて手が乾燥される。手から吹き飛ばされた水滴は、水受け部４に受け止められ、排水口５から滴下してドレン容器６に貯留される。
【００１８】
吸気風路１１の途中であって吸気口１０に近い位置に、吸気口１０から吸い込まれる空気とともに埃およびゴミが侵入することを防止する図示しないエアフィルタが設けられている。排気風路１２の途中であってノズル７に近い位置に、ノズル７から噴出される空気を加熱して温風化するヒータ１４が設けられている。
【００１９】
図３は、図２に示すノズル７部分を拡大した部分拡大断面図である。ノズル７は、手前側に設けられる手前側壁７ｂと、奥側に設けられる奥側壁７ｃとを有する。ノズル７の出口でありノズル孔７ａの周囲を囲む開口縁は、手前側壁７ｂの下端である手前側の開口縁７ｄと奥側壁７ｃの下端である奥側の開口縁７ｅを有して構成される。
【００２０】
奥側の開口縁７ｅには、下面２１ａよりも下方に突出する誘導突起１５が設けられている。これは、奥側の開口縁７ｅには、奥側の開口縁７ｅにおける空気流の噴出方向に沿って下流に向かって突出する誘導突起１５が設けられていると換言できる。誘導突起１５は、ノズル孔７ａと同様に左右方向に延びている。誘導突起１５のうち手前側の壁面となる手前面１５ａは、下端に進むほど奥側に位置する傾斜面となっている。傾斜面となっている手前面１５ａは、手前側に凸となる曲面形状で形成されており、本実施の形態１では円弧面形状となっている。誘導突起１５の手前側の上端はノズル孔７ａと滑らかに接続されている。手前面１５ａの下端の接線は、下方に向かうほど奥側に向かうように傾いている。なお、本実施の形態１では、ノズル７と誘導突起１５とが一体に形成されているが、それぞれが別体で形成されていても構わない。
【００２１】
上方ケーシング２１の内部には、手検知センサ１６が設けられている。手検知センサ１６の発光方向および受光方向はいずれも手乾燥室３に向かって設けられる。手検知センサ１６は、上方ケーシング２１の下面２１ａに設けられて可視光および赤外線を透過する透光窓１ａを通して、手乾燥室３の手の有無を検知している。また、ケーシング１の内部には、手乾燥室３に手が有ると手検知センサ１６が検知した場合に高圧気流発生装置９を動作させ、手乾燥室３に手が無いと手検知センサ１６が検知した場合に高圧気流発生装置９を停止させる制御を行う図示を省略した制御回路が設けられている。
【００２２】
高圧気流発生装置９の動作時にノズル孔７ａから噴出される空気流の噴出方向は、コアンダ効果によって誘導突起１５の手前面１５ａ側に空気流が引き寄せられて、手乾燥室３の奥側に向く方向となる。特に、手前面１５ａが傾斜面となっているため、空気流の噴出方向は手前面１５ａの下端の接線に沿った方向、すなわち奥側に向く方向となりやすい。さらに、傾斜面が円弧面である場合には、円弧面の相当曲率半径Ｒが、ノズル孔７ａの奥行き方向に沿った幅Ｗの５倍以上である場合に、コアンダ効果の影響を受けて、空気流の噴出方向が手前面１５ａの下端の接線に沿った方向になりやすい。
【００２３】
このように、誘導突起１５を設けることでコアンダ効果によって空気流の噴出方向を奥側に向けることができる。そのため、空気流の噴出方向を奥側に向けるためにノズル７を傾ける必要がない。したがって、図３に示すようにノズル７の手前側壁７ｂを鉛直に延びる壁にした場合であっても、空気流の噴出方向を奥側に向けることができる。一方、誘導突起１５を設けない場合には、空気流の噴出方向を奥側に向けるためには、ノズル７を傾ける必要がある。より具体的には、ノズル７の上方が手前側に位置するようにノズル７を傾ける必要がある。この場合、手前側壁７ｂも上方が手前側に位置するように傾くため、手前側壁７ｂの上端とノズル孔７ａとの間の奥行き方向に沿った長さが長くなる。上方ケーシング２１内に手前側壁７ｂを収容するスペースを確保するために、上方ケーシング２１の前面２１ｂとノズル孔７ａとの奥行き方向に沿った長さも長くなってしまう。
【００２４】
一方、本実施の形態１では、手前側壁７ｂを鉛直に延びる壁にできるので、上方ケーシング２１の前面２１ｂとノズル孔７ａの手前側の開口縁７ｄとの奥行き方向に沿った長さＬを短くすることができる。長さＬが短くなれば、空気流が噴出されるノズル孔７ａが前面２１ｂに近づく。したがって、使用者が手を乾燥させる際に手乾燥室３に手を挿入する深さを浅くすることができる。これにより、手乾燥室３の奥行き方向に沿った深さをあまり深くせずに、手乾燥室３に挿入された手が奥側ケーシング２２の前面２２ａに接触しにくくすることができる。すなわち、手乾燥装置５０を大型化せずに、奥側ケーシング２２の前面２２ａに手が接触しにくくすることができる。また、長さＬが短ければ上方ケーシング２１に邪魔されずに自身の手が見やすくなるため、使用者が自身の手を奥側ケーシング２２の前面２２ａに接触しにくくなる。したがって、奥側ケーシング２２の前面２２ａに接触させずに手の衛生性を確保しやすくなる。例えば、長さＬを１０ｍｍ以下とすることが好ましい。
【００２５】
また、空気流の噴出方向が奥側に向いているため、手から吹き飛ばされる水も奥側に向けて吹き飛ばされやすくなる。したがって、手から吹き飛ばされた水が使用者に向けて飛散しにくくなる。
【００２６】
なお、ノズル孔７ａから噴出された空気流が手乾燥室３に挿入された手に衝突することで手に付着していた水滴が吹き飛ばされる。手に対して垂直に空気流が吹き付けられる場合には、吹き飛ばされた水滴が飛散する方向は、主にノズル孔７ａの延びる方向と垂直な方向、すなわち奥行き方向に沿った手前側と奥側とになる。しかしながら、手前側にも水滴が飛散すると、水滴が使用者に向けて飛散するばかりでなく、飛散した水を下方で受ける水受け部４も大きくする必要があり、手乾燥装置５０の大型化を招いてしまう。
【００２７】
本実施の形態１では、空気流の噴出方向が奥側に向いているため、空気流は手に対して垂直には衝突せず、衝突後の空気流が手の先端側に向かって流れるような角度で手に衝突する。これにより、上述したように手から吹き飛ばされた水が使用者に向けて飛散することを抑えつつ、水受け部４の小型化を図ることができる。手乾燥装置５０の小型化を図るため、水受け部４が形成された下方ケーシング２３と上方ケーシング２１との奥行寸法を等しくする場合、空気流の噴出方向を鉛直方向から後方に１５°傾けることで、手から飛散した水滴の大半を回収することができる。本実施の形態１のように誘導突起１５の手前面１５ａを円弧面とした場合には、誘導突起１５の手前面の下端の接線方向と鉛直方向とがなす角度Ｄを１５°とすればよい。
【００２８】
一方、手に対して空気流が垂直に衝突した場合が、手を乾燥させる効率が最も高く、手に対する空気流の衝突角度が鋭角になるほど手を乾燥させる効率が低下する。したがって、空気流の噴出方向が奥側に向けられるほど手を乾燥させる効率が低下する。上記手乾燥装置５０の小型化と、手を乾燥させる効率の両方を考慮した場合には、空気流の噴出方向を鉛直方向から後方に１０°から２０°傾けることが好ましい。本実施の形態１のように誘導突起１５の手前面１５ａを円弧面とした場合には、誘導突起１５の手前面の下端の接線方向と鉛直方向とがなす角度を１０°から１５°の範囲とすればよい。なお、空気流の噴出方向が鉛直方向から後方に３０°を超えて傾くと手を乾燥させる効率が著しく低下するため、空気流の噴出方向は鉛直方向から後方に５°から３０°の範囲に限定される。
【００２９】
なお、誘導突起１５の手前面１５ａに設けられる傾斜面は、楕円、放物線、その他の曲面、平面、平面と曲面の組み合わせ、または複数の平面の組み合わせで形成されてもよい。図４は、実施の形態１の変形例１にかかる手乾燥装置５０のノズル７部分を示す図である。変形例１では、誘導突起１５の手前面１５ａに、平面と曲面とで傾斜面を形成している。図５は、実施の形態１の変形例２にかかる手乾燥装置５０のノズル７部分を示す図である。変形例２では、誘導突起１５の手前面１５ａに、平面で傾斜面を形成している。図６は、実施の形態１の変形例３にかかる手乾燥装置５０のノズル７部分を示す図である。変形例３では、誘導突起１５の手前面１５ａにシボ加工等によって上下に並ぶ微小な凹凸が設けられている。手前面１５ａに微小な凹凸が形成されることで、微小な凹凸が形成されていない場合よりもコアンダ効果の影響を受けやすくなる。したがって、傾斜面の相当曲率半径Ｒが小さい場合であっても、空気流の噴出方向を奥側に向けることが可能となる。
【００３０】
図７は、実施の形態１の変形例４にかかる手乾燥装置５０のノズル７部分を示す図である。変形例４では、ノズル孔７ａの開口縁のうち手前側の開口縁７ｄよりも手前側で手前側の開口縁７ｄと間隔を空けた位置に遮蔽板１８が設けられている。遮蔽板１８は、上方ケーシング２１の下面２１ａよりも下方に突出する。遮蔽板１８と誘導突起１５とは互いに対向する。また、遮蔽板１８の下端と誘導突起１５の下端は高さが一致している。
【００３１】
手前側の開口縁７ｄと遮蔽板１８の奥側面１８ａとの距離が２ｍｍより小さくなると、コアンダ効果の影響によって空気流が遮蔽板１８に引き寄せられてしまい、空気流の噴出方向を奥側に向けることができなくなってしまう。
【００３２】
本変形例４では、手前側の開口縁７ｄと遮蔽板１８の奥側面１８ａとの距離を２ｍｍ以上とすることで、空気流が遮蔽板１８に引き寄せられるのを防いでいる。また、空気流の噴出によってノズル孔７ａで発生する騒音を、遮蔽板１８で遮蔽することができる。これにより、ノズル孔７ａで発生する騒音が手乾燥装置５０の周囲に伝わるのを抑えることができる。
【００３３】
遮蔽板１８は、ノズル７と一体に形成されていてもよいし、別体で形成されていてもよい。また、遮蔽板１８は、上方ケーシング２１と一体に形成されていてもよい。すなわち、遮蔽板１８の奥側面１８ａと手前側の開口縁７ｄとの距離が２ｍｍ以上であれば、遮蔽板１８は実施の形態に例示したものに限定されない。
【００３４】
実施の形態２．
図８は、本発明の実施の形態２にかかる手乾燥装置６０の外観を示す斜視図である。図９は、図８に示す手乾燥装置６０を側方から見た断面図である。なお、上記実施の形態１と同様の構成については、同様の符号を付して詳細な説明を省略する。実施の形態２にかかる手乾燥装置６０が備えるケーシング６１は、上記実施の形態１にかかる手乾燥装置５０が備えるケーシング１から奥側ケーシング２２と下方ケーシング２３とを省略した態様となっている。したがって、手乾燥装置６０では、ケーシング６１の下方全体が、手を挿入可能な手乾燥室６３となっている。
【００３５】
また、ケーシング６１の下面６１ａには、実施の形態１と同様にノズル７および誘導突起１５が設けられている。このように、ケーシングの下面に空気流を噴出するノズルが設けられる構成の手乾燥装置であれば、ケーシングの形状に関わらず誘導突起によって空気流の噴出方向を奥側に向けて、装置の小型化を図りつつ、衛生的に手を乾燥させることのできる手乾燥装置とすることができる。
【００３６】
なお、上記実施の形態１の変形例で示したように、ケーシング６１の下面６１ａに遮蔽板を設けても構わない。
【００３７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３８】
１，６１  ケーシング、１ａ  透過窓、２  手挿入口、３，６３  手乾燥室、４  水受け部、５  排水口、６  ドレン容器、７  ノズル、７ａ  ノズル孔、７ｂ  手前側壁、７ｃ  奥側壁、７ｄ  手前側の開口縁、７ｅ  奥側の開口縁、８  ベース、９  高圧気流発生装置、１０  吸気口、１１  吸気風路、１２  排気風路、１４  ヒータ、１５  誘導突起、１５ａ  手前面、１６  手検知センサ、１８  遮蔽板、１８ａ  奥側面、２１  上方ケーシング、２１ａ，６１ａ  下面、２１ｂ  前面、２２  奥側ケーシング、２３  下方ケーシング、５０，６０  手乾燥装置。
【図１】
2018220715.tif 000003
【図２】
2018220715.tif 000004
【図３】
2018220715.tif 000005
【図４】
2018220715.tif 000006
【図５】
2018220715.tif 000007
【図６】
2018220715.tif 000008
【図７】
2018220715.tif 000009
【図８】
2018220715.tif 000010
【図９】
2018220715.tif 000011
【国際調査報告】
2018220715.tif 000012
2018220715.tif 000013
2018220715.tif 000014
2018220715.tif 000015